(57)【要約】【課題】挿入紙の設定が異なるジョブが投入されたとしても、意図しない成果物が出力されることを抑制する画像形成装置および画像形成装置の制御方法を提供する。【解決手段】画像形成装置は、用紙に画像を形成する画像形成手段と、画像が形成される用紙に挿入される挿入紙を載置するトレイに挿入紙が載置されているかを検知する検知手段と、画像形成装置にジョブが投入された場合、前回のジョブの挿入紙の枚数と投入されたジョブの挿入紙の枚数と検知手段による検知結果とに基づいて、投入されたジョブを実行するか否かの制御を行う制御手段と、を備える。【選択図】図１
2020091447.tif 000002
【特許請求の範囲】
【請求項１】
画像形成装置であって、
用紙に画像を形成する画像形成手段と、
前記画像が形成される用紙に挿入される挿入紙を載置するトレイに前記挿入紙が載置されているかを検知する検知手段と、
前記画像形成装置にジョブが投入された場合、前回のジョブの挿入紙の枚数と投入された前記ジョブの挿入紙の枚数と前記検知手段による検知結果とに基づいて、投入された前記ジョブを実行するか否かの制御を行う制御手段と、
を備えることを特徴とする画像形成装置。
【請求項２】
前記制御手段は、前記検知結果に変化がなく、且つ前記前回のジョブの挿入紙の枚数と投入された前記ジョブの挿入紙の枚数とが異なる場合に、警告を出力することを特徴とする請求項１に記載の画像形成装置。
【請求項３】
前記制御手段は、前記前回のジョブの挿入紙の挿入位置と投入された前記ジョブの挿入紙の挿入位置と前記検知手段による検知結果とに基づいて、投入された前記ジョブを実行するか否かの制御を行うことを特徴とする請求項１に記載の画像形成装置。
【請求項４】
前記制御手段は、前記検知結果に変化がなく、且つ前記前回のジョブの挿入紙の挿入位置と投入された前記ジョブの挿入紙の挿入位置とが異なる場合に、警告を出力することを特徴とする請求項３に記載の画像形成装置。
【請求項５】
前記制御手段は、切り替え可能な特定のモードに設定されているか否かに応じて、前記警告を出力するか否かを切り替える制御を行うことを特徴とする請求項２または４に記載の画像形成装置。
【請求項６】
前記制御手段は、投入された前記ジョブが前記挿入紙を出力するジョブである場合に、前記投入されたジョブを実行するか否かの制御を行うことを特徴とする請求項１乃至５のうち何れか１項に記載の画像形成装置。
【請求項７】
用紙に画像を形成する画像形成手段と、前記画像が形成される用紙に挿入される挿入紙を載置するトレイに前記挿入紙が載置されているかを検知する検知手段と、を有する画像形成装置の制御方法であって、
前記画像形成装置にジョブが投入された場合、前回のジョブの挿入紙の枚数と投入された前記ジョブの挿入紙の枚数と前記検知手段による検知結果とに基づいて、投入された前記ジョブを実行するか否かの制御を行う工程、
を備えることを特徴とする画像形成装置の制御方法。
【発明の詳細な説明】
【技術分野】
【０００１】
本発明は、画像が形成された用紙に挿入紙を挿入する制御を行う画像形成装置および画像形成装置の制御方法に関する。
【背景技術】
【０００２】
画像形成部で画像形成した用紙の間に挿入紙を挿入する制御を行う画像形成装置が用いられている。関連する技術として、特許文献１の画像形成装置が提案されている。この画像形成装置は、複数種類のインサート紙の積載態様及び積載態様に対応した給紙制御手段による給紙態様を規定する給紙モードを複数種類に設定可能な構成を有している。
【先行技術文献】
【特許文献】
【０００３】
【特許文献１】特許第４６１２７５３号
【発明の概要】
【発明が解決しようとする課題】
【０００４】
例えば、複数枚の挿入紙を挿入するジョブが画像形成装置に投入された場合、１セットの挿入紙の枚数と、ジョブに設定されている挿入紙の枚数とが整合していない場合がある。この場合、正しい成果物が得られない可能性がある。図１０は、正しい成果物が得られないケースを示す。図１０において、挿入紙は合紙であり、合紙を給紙するための給紙トレイには、合紙１〜合紙３で１セットを構成する合紙が載置されているものとする。合紙１〜合紙３は、それぞれ種類が異なる。図１０（Ａ）の１つ目のジョブは、３枚の用紙と３枚の合紙とを１枚ずつ交互に出力させるジョブである。図１０（Ａ）のジョブでは、給紙トレイに載置されている１セットの合紙の枚数とジョブに設定されている合紙枚数とは一致している。従って、ユーザが意図した正しい成果物が得られる。
【０００５】
図１０（Ｂ）の２つ目のジョブは、３枚の用紙と２枚の合紙とを１枚ずつ交互に出力させるジョブである。図１０（Ｂ）のジョブでは、給紙トレイに載置されている１セットの合紙の枚数は３枚であり、ジョブに設定されている合紙枚数は２枚であり、両者は一致しない。このため、給紙トレイに載置されている１セットの合紙の枚数とジョブに設定されている合紙枚数の設定との間で周期のずれが生じる。図１０（Ｂ）の例では、２つ目のジョブ（２ジョブ目）の２部目に、合紙１および合紙２ではなく、合紙３および合紙１が挿入されている。このため、ユーザが意図した正しい成果物になっていない。従って、挿入紙が交換されていない状態で、挿入紙の設定が異なるジョブが投入されると、正しい成果物が得られないことがある。
【０００６】
本発明の目的は、挿入紙の設定が異なるジョブが投入されたとしても、意図しない成果物が出力されることを抑制する画像形成装置および画像形成装置の制御方法を提供することにある。
【課題を解決するための手段】
【０００７】
上記目的を達成するために、本発明の画像形成装置は、用紙に画像を形成する画像形成手段と、前記画像が形成される用紙に挿入される挿入紙を載置するトレイに前記挿入紙が載置されているかを検知する検知手段と、前記画像形成装置にジョブが投入された場合、前回のジョブの挿入紙の枚数と投入された前記ジョブの挿入紙の枚数と前記検知手段による検知結果とに基づいて、投入された前記ジョブを実行するか否かの制御を行う制御手段と、を備えることを特徴とする。
【発明の効果】
【０００８】
本発明によれば、挿入紙の設定が異なるジョブが投入されたとしても、意図しない成果物が出力されることを抑制することができる。
【図面の簡単な説明】
【０００９】
【図１】本実施形態に係る画像形成システムの構成例を示す図である。
【図２】画像形成装置のコントローラの機能ブロック図である。
【図３】インサータ制御部の機能ブロック図である。
【図４】操作表示装置のユーザインタフェースを示す図である。
【図５】各種設定画面の例を示す図である。
【図６】各種設定画面の他の例を示す図である。
【図７】第１のジョブ実行判定処理の流れを示すフローチャートである。
【図８】第２のジョブ実行判定処理の流れを示すフローチャートである。
【図９】警告画面の表示例である。
【図１０】正しい成果物が得られない場合を説明する図である。
【発明を実施するための形態】
【００１０】
以下、本発明の各実施の形態について図面を参照しながら詳細に説明する。しかしながら、以下の各実施の形態に記載されている構成はあくまで例示に過ぎず、本発明の範囲は各実施の形態に記載されている構成によって限定されることはない。
【００１１】
＜画像形成システムの構成例＞
図１は、本実施形態に係る画像形成システムの構成例を示す図である。画像形成システム１０は、画像形成装置２０およびインサート装置３０を有する。画像形成装置２０は、ユーザ等が操作を行うための操作表示装置４０を有する。画像形成システム１０の全体が画像形成装置であってもよい。操作表示装置４０は、例えば、コピー等のプリント指示の操作を受け付ける。画像形成装置２０は、シート給送部２００を有する。操作表示装置４０に対してプリント指示が行われると、複数枚の用紙を収容したシート給送部２００から1枚ずつ用紙が給紙される。用紙は、紙庫２２０に載置される。紙庫２２０に載置された複数枚の用紙の最上面の用紙位置は、リフタモータおよび紙面センサ２２６により最上紙がピックアップローラ２２１に接するように制御される。ピックアップローラ２２１は、紙庫２２０の最上紙を給紙ローラ２２２に送り込む。給紙ローラ２２２は、上側ローラおよび下側ローラを有する。給紙ローラ２２２の上側ローラが送り方向に回転し、下側ローラが戻し方向に回転することで、用紙は、１枚ずつ分離されて、給送される。
【００１２】
給紙ローラ２２２を経た用紙は縦パス２４１に搬送される。縦パスローラ１０１により縦パスセンサ１０２を経た用紙は、水平パス２４２に案内される。そして、画像形成部２５０は、用紙に対して画像を形成する。画像形成手段としての画像形成部２５０は、ドラム２５１〜２５４、中間転写体２５５および二次転写部２５６を有する。画像形成装置２０は、プレレジセンサ１０３、プレレジローラ１０４、レジストローラ１０５およびレジストセンサ１０６を用いて、画像形成部２５０の画像と水平パス２４２の用紙の先端位置合わせを行う。画像と用紙の先端位置合わせでは、画像形成に同期した信号に基づいてレジストローラ１０５が駆動される。用紙に転写された画像は、定着部２６０により、加圧および加熱される。定着部２６０を用紙が通過することで、画像が用紙に定着する。画像が定着した用紙は排紙ローラ１０７によってインサート装置３０へ向けて搬送される。画像形成部２５０と定着部２６０との間には、用紙の通過を検出するセンサ１０８が設置されている。排紙ローラ１０７の出力側には、用紙の排出を検出するセンサ１０９が設置されている。
【００１３】
＜インサート装置＞
画像形成装置２０で画像が転写および定着された用紙は、排紙ローラ１０７を経てインサート装置３０へ受け渡される。画像形成装置２０から排出された用紙は、インサート装置３０内へ入る。インサート装置３０の入口センサ３１１が用紙を検知すると、入口ローラ３０１が駆動されて、水平パス３４０へ向けて搬送される。用紙は、排紙ローラ３０２を通過すると、インサート装置３０の排紙トレイ３５０へ向け排紙される。排紙センサ３１２は用紙が正常に排紙トレイ３５０へ排紙されたかどうかを検知するセンサである。
【００１４】
インサート装置３０は、挿入紙としての合紙を積載および給紙搬送するための給紙トレイ３２０を有している。挿入紙は、合紙以外であってもよい。給紙トレイ３２０には、検知手段としての挿入紙検知センサ３２１が設置されている。挿入紙検知センサ３２１は、給紙トレイ３２０上に合紙が載置されているか否かを検知するセンサである。給紙トレイ３２０上に合紙が載置されると、挿入紙検知センサ３２１が合紙を検知する。挿入紙検知センサ３２１は、合紙を検知した場合、「紙有り」を示す情報を画像形成装置２０に通知する。挿入紙検知センサ３２１は、給紙トレイ３２０上に合紙が載置されていない場合、または、給紙トレイ３２０に載置されていた合紙が取り除かれた場合、「紙無し」を示す情報を画像形成装置２０に通知する。
【００１５】
次に、インサート装置３０の給紙トレイ３２０から給紙される合紙を搬送する駆動系について説明する。給紙ローラ３０３により給紙トレイ３２０に積載された合紙のうち最上紙が下流へと搬送され、分離ローラ３０４により、給紙トレイ３２０に積載された合紙のうち最上紙である1枚の合紙のみが搬送パス３３０へと搬送される。搬送パス３３０へ導かれた合紙は、レジストセンサ３１４から所定量搬送される。当該合紙は、停止しているレジローラ３０５に搬送方向先端が突き当てられて、ループを形成した状態で一旦停止する。これにより、給紙搬送動作中に生じた合紙の斜行が補正される。そして、合紙は、レジローラ３０５に先端を突き当てられた状態で、所定時間停止する。その後、分離ローラ３０４、レジローラ３０５および排紙ローラ３０２が駆動され、合紙は、搬送パス３３０と水平パス３４０の合流部を経て排紙トレイ３５０へと排出される。
【００１６】
＜画像形成装置のコントローラ＞
図２は、画像形成装置２０のコントローラの機能ブロック図である。画像形成装置２０のコントローラは、画像形成システム１０の全体の制御を統括的に制御する。画像形成装置２０のコントローラはプリンタ制御部９００を有する。プリンタ制御部９００は、ＣＰＵ９０１、ＲＯＭ９０２およびＲＡＭ９０３を内蔵する。例えば、ＲＯＭ９０２に格納されている制御プログラムが、ＲＡＭ９０３に展開され、ＣＰＵ９０１がＲＡＭ９０３に展開された制御プログラムを実行することで、実施形態の制御が実現されてもよい。ＣＰＵ９０１は、操作表示装置制御部９０６および画像信号制御部９０７を制御する。ＲＡＭ９０３は、上述した制御プログラムに伴う演算処理の作業領域として用いられる他に、制御データを一時的に保持する。
【００１７】
画像信号制御部９０７は、コンピュータ９０５から外部Ｉ／Ｆ９０４を介して入力されたデジタル画像信号に各種処理を施す。画像信号制御部９０７は、各種処理が施されたデジタル画像信号をビデオ信号に変換して、画像形成部２５０に出力する。操作表示装置制御部９０６は、操作表示装置４０を制御し、プリンタ制御部９００との間で情報のやり取りを行う。操作表示装置４０は、画像形成に関する各種機能を設定する複数のキーや、設定状態を示す情報を表示するための表示部６２０を有している。また、操作表示装置４０は、各キーの操作に対応するキー信号をプリンタ制御部９００に出力するとともに、プリンタ制御部９００からの信号に基づいて、対応する情報を表示部６２０に表示する。表示部６２０については、後述する。
【００１８】
図１および図２を参照して、画像形成装置２０の主なシート搬送駆動系を説明する。以下の各モータおよび各センサは、プリンタ制御部９００により制御される。シート給送部２００から縦パス２４１までの駆動源として、給紙モータ２０１は、ピックアップローラ２２１を駆動し、縦パスモータ９２０は、給紙ローラ２２２および縦パスローラ１０１を駆動する。シート給送部２００は、紙庫２２０に載置された用紙の残量が規定より少なくなったことを検知するニアエンプティセンサ２２４を有する。レジモータ９２１は、水平パス２４２から転写部までの駆動源として、プレレジローラ１０４およびレジストローラ１０５を駆動する。ドラムモータ９２２は、転写部から排紙部までの駆動源として、画像形成部２５０内のドラム２５１〜２５４、中間転写体２５５および二次転写部２５６を駆動する。定着モータ９２３は、定着部２６０を駆動する。排紙モータ９２４は、排紙ローラ１０７を駆動する。パスセンサ９２５は、図１における各種センサ１０２や１０３、１０６、１０８、１０９、２２３等であり、用紙の通過を検知する。
【００１９】
＜インサータ制御部＞
排紙ローラ１０７を通過した用紙はインサート装置３０に受け渡されインサータ制御部７００によって制御される。図３は、図２のインサータ制御部７００の機能ブロック図である。インサータ制御部７００は、ＣＰＵ７０１、ＲＯＭ７０２およびＲＡＭ７０３を内蔵する。ＲＯＭ７０２に格納されている制御プログラムがＲＡＭ７０３に展開され、ＣＰＵ７０１がＲＡＭ７０３に展開された制御プログラムを実行することで、インサータ制御部７００の機能が実現されてもよい。ＲＡＭ７０３は、制御プログラムの実行に伴う演算処理の作業領域として用いられる他に、制御データを一時的に保持する。また、インサータ制御部７００は通信手段でプリンタ制御部９００と接続されており、通信手段を介してプリンタ制御部９００と情報のやり取りを行う。
【００２０】
次に、図１および図３を参照して、インサート装置３０の主なシート搬送駆動系について説明する。以下の各モータおよび各センサは、インサータ制御部７００により制御される。インサート装置３０は、画像形成装置２０から搬出された用紙を受け取る。入口モータ７１１は、受け取った用紙を排紙トレイ３５０へ向けて搬送する駆動源として、入口ローラ３０１および排紙ローラ３０２を駆動する。給紙モータ７１２は、搬送パス３３０上で斜行補正を行うまでの駆動源として合紙の給紙を行う給紙ローラ３０３および分離ローラ３０４を駆動する。レジモータ７１３は、給紙トレイ３２０から給紙された合紙の斜行補正を行った後、画像形成装置２０からの搬入される用紙との合流部へ搬送するまでの駆動源として、レジローラ３０５を駆動する。用紙または合紙の通過を検知するためのパスセンサとして、入口センサ３１１、排紙センサ３１２、給紙センサ３１３およびレジストセンサ３１４が設けられる。
【００２１】
＜挿入紙載置状況判定＞
上述したように、給紙トレイ３２０には挿入紙検知センサ３２１が設置されている。従って、挿入紙検知センサ３２１は、給紙トレイ３２０上に合紙が積載されているか否かを検知することができる。挿入紙検知センサ３２１は、例えば、フラグ形状をしたセンサである。挿入紙検知センサ３２１は、給紙トレイ３２０に載置された合紙の束の最下紙に接触することで、合紙があること（「紙有り」）を検知できる。例えば、複数の合紙が給紙トレイ３２０に載置された後、連続して合紙の給紙を行うジョブが実行されたとする。この場合、合紙は、停止状態のレジローラ３０５で斜行補正されて、プリンタ制御部９００からの指示で水平パス３４０へ向けて合紙の搬送が開始される。
【００２２】
合紙の後端が挿入紙検知センサ３２１を抜けたときに、次の合紙の有無が検知可能になる。挿入紙検知センサ３２１は、合紙の検知結果が変化する度に、通信手段を介して、プリンタ制御部９００に検知結果の情報を通知する。挿入紙検知センサ３２１は、給紙トレイ３２０の合紙を検知していない状態から検知する状態に変化した場合、検知結果として「紙有り」の情報を、プリンタ制御部９００に通知する。挿入紙検知センサ３２１は、給紙トレイ３２０の合紙を検知している状態から検知しない状態に変化した場合、検知結果として「紙無し」の情報を、プリンタ制御部９００に通知する。
【００２３】
＜操作表示装置＞
図４は、操作表示装置４０のユーザインタフェースを示す図である。操作表示装置４０には、画像形成動作を開始するためのスタートキー６０２、画像形成動作を中断するためのストップキー６０３が配置されている。また、操作表示装置４０には、置数設定等を行うテンキー６０４〜６１２および６１４、ＩＤキー６１３、クリアキー６１５、リセットキー６１６等が配置されている。また、操作表示装置４０には、タッチパネルが形成された表示部６２０が配置されており、タッチパネルの画面上に各種のソフトキーを表示することが可能となっている。本実施形態の画像形成装置２０は、合紙等を使用する応用モードを設定可能である。各モードの設定は、操作表示装置４０に対する入力操作により行われる。図４に示される表示部６２０のメニュー選択画面から各種の設定を行うことが可能である。
【００２４】
＜給紙トレイにセットした合紙の設定＞
ユーザが給紙トレイ３２０に合紙をセットした後、ユーザは、セットした合紙の情報を操作表示装置４０に設定する操作を行う必要がある。本実施形態では、それぞれ種類が異なる複数の合紙を１セットとして、複数セットの合紙が給紙トレイ３２０に載置されるものとする。以下、合紙の表面性や形状、坪量、サイズ等の設定方法の流れについて説明する。合紙の設定情報には、表面性、形状、坪量およびサイズ以外の設定情報が含まれていてもよい。図５（Ａ）は、上述した応用モードのソフトキーが押下された場合に表示部６２０に表示されるメニュー選択画面である。図５（Ａ）のメニュー選択画面のうち、「用紙設定」ボタンが押下されると、ＣＰＵ９０１の制御により、表示部６２０に表示される画面は、図５（Ｂ）に示される用紙設定画面に遷移する。図５（Ｂ）に示される用紙設定画面は、画像形成システム１０の何れの用紙収容部に収容されている用紙の設定を行うための画面である。
【００２５】
図５（Ｂ）の例では、画像形成装置２０のシート給送部２００とインサート装置３０の給紙トレイ３２０との２つの用紙収容部のうち何れかを選択することができる。図５（Ｂ）の例では、インサータが選択されている。インサータは、インサート装置３０の給紙トレイ３２０に対応する。そして、「次へ」のソフトキーが押下されると、ＣＰＵ９０１の制御により、表示部６２０の表示は、図５（Ｃ）に示す表面性の設定画面に遷移する。図５（Ｃ）の例では、「普通紙」が選択されている。そして、「次へ」のソフトキーが押下されると、ＣＰＵ９０１の制御により、表示部６２０の表示は、図５（Ｄ）に示す形状設定画面に遷移する。図５（Ｄ）の形状設定画面では、「ノーマル」が選択されている。そして、「次へ」のソフトキーが押下されると、ＣＰＵ９０１の制御により、表示部６２０の表示は、図５（Ｅ）に示す坪量の設定画面に遷移する。図５（Ｅ）の坪量の設定画面では、「８０〜１５０」が選択されている。そして、「次へ」のソフトキーが押下されると、ＣＰＵ９０１の制御により、表示部６２０の表示は、図５（Ｆ）に示す用紙サイズの設定画面に遷移する。図５（Ｆ）の用紙サイズの設定画面では、「Ａ４」が選択されている。そして、「次へ」のソフトキーが押下されると、一連の用紙設定が完了する。画像形成装置２０に用紙の束がセットされた場合も、上述した例と同様の設定が行われる。
【００２６】
＜挿入処理の設定＞
次に、挿入処理の設定について説明する。図６（Ａ）に示されるように、上述したメニュー選択画面が表示部６２０に表示されている際に、ユーザが、表示部６２０の「応用モード」ボタンを押下したとする。この場合、表示部６２０の表示は、ＣＰＵ９０１の制御により、図６（Ｂ）に示される応用モードの選択画面に遷移する。図６（Ｂ）の応用モードの選択画面において、「インサート」のソフトキーが押下されると、表示部６２０の表示は、ＣＰＵ９０１の制御により、図６（Ｃ）に示されるインサート設定画面に遷移する。
【００２７】
インサート設定画面では、「表紙」と「裏表紙」と「合紙」との何れかの設定の選択を行うことができる。図６（Ｃ）では、「合紙」のソフトキーが押下されている。この場合、ＣＰＵ９０１は、表示部６２０に、合紙の詳細設定を行うための画面を表示させる。図６（Ｃ）の例の場合、詳細設定では、何れの頁の前に何枚の合紙を挿入するかを設定することができる。図６（Ｃ）の例の場合、1頁目の前に１枚の合紙が挿入され、２頁目の前に１枚の合紙が挿入され、３頁目の前に１枚の合紙が挿入される設定となっている。図６（Ｃ）のインサート設定画面で「次へ」のソフトキーが押下されると、表示部６２０の表示は、ＣＰＵ９０１の制御により、図６（Ｄ）に示される給紙箇所の設定画面に遷移する。給紙箇所の設定画面では、挿入紙の給紙段を選択することができる。図６（Ｄ）では、インサータが選択されている。そして、「決定」のソフトキーが押下されると、設定が完了し、表示部６２０の表示は、ＣＰＵ９０１の制御により、メニュー選択画面に遷移する。以上により、合紙の設定も含めたジョブの設定がされる。そして、スタートキー６０２が押下されると、ジョブが実行されて、画像形成が行われる。
【００２８】
＜第１のジョブ実行判定処理＞
図７は、第１のジョブ実行判定処理の流れを示すフローチャートである。第１のジョブ実行判定処理では、ＣＰＵ９０１は、合紙の挿入枚数の設定と、挿入紙検知センサ３２１の検知結果とに基づいて、ジョブを実行するかを判定する。画像形成システム１０の電源がオンにされると、ＣＰＵ９０１は、２つの変数の値を「０」に設定することで、変数の初期化を行う（Ｓ１０００）。上記２つの変数を、「ｐｒｅＪｏｂＩｎｓＮｕｍ」および「ｎｏｗＪｏｂＩｎｓＮｕｍ」とする。変数の名称は、任意の名称であってよい。変数ｐｒｅＪｏｂＩｎｓＮｕｍは、前回のジョブ（挿入紙としての合紙を設定したジョブ）で設定された１部毎の挿入枚数を示す。挿入枚数は、ジョブで設定された合紙の枚数である。変数ｎｏｗＪｏｂＩｎｓＮｕｍは、今回、投入されたジョブで設定された１部毎のインサート枚数を示す。上記２つの変数は、例えば、ＲＡＭ９０３に記憶されている。Ｓ１０００において、ＣＰＵ９０１は、ＲＡＭ９０３に記憶されている上記２つの変数の値を「０」にして初期化する。
【００２９】
ＣＰＵ９０１は、画像形成装置２０にジョブが投入されたかを判定する（Ｓ１００１）。上述した各種の設定画面によりジョブの設定が行われて、スタートキー６０２が押下されたことをＣＰＵ９０１が検出すると、Ｓ１００１の判定はＹＥＳになる。Ｓ１００１でＮＯと判定された場合、フローは、Ｓ１００１に戻る。上述したように、図６（Ｃ）のインサート設定画面において、合紙の挿入枚数が設定される。ＣＰＵ９０１は、ジョブ設定時で設定された１部毎の挿入枚数を変数ｎｏｗＪｏｂＩｎｓＮｕｍに記憶する。ジョブ設定時に、挿入処理の設定が行われてない場合は、変数ｎｏｗＪｏｂＩｎｓＮｕｍに「０」が設定される。
【００３０】
ＣＰＵ９０１は、変数ｎｏｗＪｏｂＩｎｓＮｕｍが「０」であるかを判定する（Ｓ１００３）。変数ｎｏｗＪｏｂＩｎｓＮｕｍが「０」である場合、投入されたジョブは挿入処理を含まないジョブであるため、Ｓ１００３でＹＥＳと判定される。この場合、ＣＰＵ９０１は、ジョブの内容に応じた動作が実行されるように制御する（Ｓ１００４）。Ｓ１００３でＹＥＳと判定された場合、投入されたジョブは挿入処理を含まない。従って、ＣＰＵ９０１は、ジョブの内容に応じた画像形成動作の制御を行う。これにより、用紙に画像が形成されていく。ＣＰＵ９０１は、投入されたジョブによる画像形成動作が最終紙まで至ったかを判定する（Ｓ１００５）。Ｓ１００５でＮＯと判定された場合、フローはＳ１００４に戻る。これにより、ジョブの最終紙まで、画像形成動作が行われて、画像が形成された用紙が成果物として出力される。Ｓ１００５でＹＥＳと判定された場合、フローは、Ｓ１００１に移行する。ＣＰＵ９０１は、次のジョブが予約されている場合には、次のジョブの動作を開始する。一方、次のジョブが予約されていない場合、画像形成システム１０は、ユーザからのジョブ投入を待機する状態となる。合紙を含まないジョブが連続投入された場合、上述した処理が繰り返される。
【００３１】
変数ｎｏｗＪｏｂＩｎｓＮｕｍが「０」でない場合、投入されたジョブはインサート処理を含むジョブであるため、Ｓ１００３でＮＯと判定される。この場合、ＣＰＵ９０１は、前回のジョブの１部毎の挿入枚数である変数ｐｒｅＪｏｂＩｎｓＮｕｍが「０」であるかを判定する（Ｓ１００６）。変数ｐｒｅＪｏｂＩｎｓＮｕｍが「０」である場合、Ｓ１００６でＹＥＳと判定される。この場合、比較対象の前回のジョブがないため、フローは、Ｓ１０１０に移行する。一方、変数ｐｒｅＪｏｂＩｎｓＮｕｍが「０」でない場合、Ｓ１００６でＮＯと判定される。この場合、ＣＰＵ９０１は、前回のジョブと今回のジョブとの間に挿入紙検知センサ３２１の検知結果に変化がなく、且つ変数ｐｒｅＪｏｂＩｎｓＮｕｍと変数ｎｏｗＪｏｂＩｎｓＮｕｍとが異なるかを判定する（Ｓ１００７）。本実施形態では、ＣＰＵ９０１は、前回のジョブの実行が完了してから、挿入紙検知センサ３２１の検知結果に変化があった場合、例えば、ＲＡＭ９０３に、検知結果に変化があったことを示す情報を記憶する。なお、Ｓ１００７において、ＣＰＵ９０１は、先に検知結果に変化がないかを判定し、その後、変数ｐｒｅＪｏｂＩｎｓＮｕｍと変数ｎｏｗＪｏｂＩｎｓＮｕｍとが異なるかを判定してもよい。
【００３２】
検知結果に変化がない場合、給紙トレイ３２０の合紙の束は交換されていないと判定することができる。検知結果に変化がなく、且つ変数ｐｒｅＪｏｂＩｎｓＮｕｍと変数ｎｏｗＪｏｂＩｎｓＮｕｍとが異なる場合、合紙の束が交換されていないにもかかわらず、前回のジョブと今回のジョブとで１部毎の合紙の挿入枚数が異なる。また、上述したように、それぞれ種類が異なる複数の合紙を１セットとして、複数の合紙のセットが給紙トレイ３２０に載置されている。排紙トレイ３５０には、今回のジョブの設定に基づいて、合紙が挿入された用紙（画像形成された用紙）が成果物として出力される。
【００３３】
合紙の束が交換されていないにもかかわらず、前回のジョブと今回のジョブとで１部毎の合紙の挿入枚数が異なると、ユーザが意図しない成果物が得られる可能性が高い。そこで、ＣＰＵ９０１は、Ｓ１００７でＹＥＳと判定された場合、警告を出力する（Ｓ１００８）。以下、警告は、表示部６２０に画面表示されるものとして説明するが、警告は画面表示には限定されない。図９（Ａ）は、表示部６２０に表示される警告画面の一例を示す。表示部６２０に警告が表示されることで、ユーザに、意図しない成果物が出力される可能性を提示することができる。表示部６２０には、「ジョブ中止」のソフトキーおよび「ジョブ継続」のソフトキーが表示される。ユーザは、表示部６２０の表示から、ジョブの実行を継続するかを選択することができる。
【００３４】
ＣＰＵ９０１は、ジョブの実行を継続するかを判定する（Ｓ１００９）。ＣＰＵ９０１は、上述した「ジョブ中止」のソフトキーが押下された場合、Ｓ１００９でＮＯと判定し、「ジョブ継続」のソフトキーが押下された場合、Ｓ１００９でＹＥＳと判定してもよい。Ｓ１００９でＮＯと判定された場合、フローは、Ｓ１００１に戻る。そして、画像形成装置１は、次のジョブが投入されている場合には、次のジョブの実行を開始し、次のジョブが投入されていない場合には、次のジョブが投入されるまで待機する。
【００３５】
Ｓ１００９でＹＥＳと判定された場合、ＣＰＵ９０１は、変数ｐｒｅＪｏｂＩｎｓＮｕｍの値を変数ｎｏｗＪｏｂＩｎｓＮｕｍの値に書き換える（Ｓ１０１０）。そして、Ｓ１００４にて、ジョブの内容に応じた動作が行われる。Ｓ１０１０からＳ１００４に移行した場合、今回のジョブにはインサート処理が含まれる。従って、ＣＰＵ９０１は、画像形成動作およびインサート動作を行う。これにより、合紙を含む成果物が出力される。ジョブの実行が終了したら、フローは、Ｓ１００１に移行する。次のジョブ以降も同様の処理が行われる。
【００３６】
ここで、Ｓ１００７でＮＯと判定された場合、Ｓ１００８およびＳ１００９の処理が行われることなく、フローは、Ｓ１０１０に移行する。つまり、検知結果に変化がある場合、または変数ｐｒｅＪｏｂＩｎｓＮｕｍと変数ｎｏｗＪｏｂＩｎｓＮｕｍとが同じである場合、警告は出力されない。検知結果に変化がある場合、合紙の束は交換された可能性がある。今回のジョブの実行に際して、合紙の束が交換された場合、ユーザが意図した成果物が得られる可能性が高い。また、変数ｐｒｅＪｏｂＩｎｓＮｕｍと変数ｎｏｗＪｏｂＩｎｓＮｕｍとが同じである場合も、ユーザが意図した成果物が得られる可能性が高い。このため、Ｓ１００７でＮＯと判定された場合、フローはＳ１０１０に移行する。
【００３７】
以上のように、ＣＰＵ９０１は、挿入紙検知センサ３２１の検知結果と変数ｐｒｅＪｏｂＩｎｓＮｕｍと変数ｎｏｗＪｏｂＩｎｓＮｕｍとに基づいて、ジョブを実行するか否かを制御する。これにより、ユーザが意図しない成果物が出力されることが抑制される。そして、挿入紙検知センサ３２１の検知結果に変化がなく、変数ｐｒｅＪｏｂＩｎｓＮｕｍと変数ｎｏｗＪｏｂＩｎｓＮｕｍとが異なる場合に、警告表示がされる。これにより、意図しない成果物が出力される可能性をユーザに提示することができる。
【００３８】
＜第２のジョブ実行判定処理＞
次に、第２のジョブ実行判定処理について説明する。図８は、第２のジョブ実行判定処理の流れを示すフローチャートである。第２のジョブ実行判定処理では、合紙の挿入位置の設定および挿入紙検知センサ３２１の検知結果に基づいて、ジョブを実行するか否かの制御が行われる。画像形成システムの電源がオンされると、ＣＰＵ９０１は、２つの配列の値を初期化する。配列ｐｒｅＪｏｂＩｎｓＰｏｓ[]は、前回のジョブで設定された１部毎の合紙の挿入位置を示すデータ配列である。配列ｎｏｗＪｏｂＩｎｓＰｏｓ[]は、今回のジョブで設定された１部毎の合紙の挿入位置を示すデータ配列である。例えば、配列ｎｏｗＪｏｂＩｎｓＰｏｓ[２、４、６]は、１部の中で、２枚目、４枚目および６枚目が合紙であることを示す。ＣＰＵ９０１は、２つの配列の値を「０」にすることで、初期化を行う。
【００３９】
ＣＰＵ９０１は、ジョブが投入されたかを判定する（Ｓ２００１）。Ｓ２００１でＮＯと判定された場合、フローはＳ２００１に戻る。Ｓ２００１でＹＥＳと判定された場合、ＣＰＵ９０１は、配列ｎｏｗＪｏｂＩｎｓＰｏｓ[]に、１部毎の合紙の挿入位置を設定し、例えば、ＲＡＭ９０３に記憶する（Ｓ２００２）。投入されたジョブが、インサート処理の設定が行われてないジョブの場合、配列ｎｏｗＪｏｂＩｎｓＰｏｓ[]に「０」が設定される。
【００４０】
ＣＰＵ９０１は、配列ｎｏｗＪｏｂＩｎｓＰｏｓ[]が「０」であるかを判定する。投入されたジョブがインサート処理を含まないジョブの場合、配列ｎｏｗＪｏｂＩｎｓＰｏｓ[]は「０」である。この場合、ＣＰＵ９０１は、ジョブの内容に応じて、画像形成動作の制御を行う（Ｓ２００４）。そして、ＣＰＵ９０１は、ジョブの内容に応じて行われる画像形成動作が最終紙に至ったかを１枚毎に判定する（Ｓ２００５）。Ｓ２００５でＮＯと判定された場合、最終紙までのジョブの実行が行われていないため、フローはＳ２００４に戻る。Ｓ２００５でＹＥＳと判定された場合、ジョブの実行が完了したため、フローはＳ２００１に戻る。これにより、画像が形成された用紙が成果物として得られる。そして、画像形成システム１０は、次のジョブが予約されていれば、次のジョブの実行を開始し、次のジョブの予約がされていなければ、ジョブの投入を待つ待機状態となる。合紙を含まないジョブが連続投入された場合、上述した処理が繰り返されることとなる。
【００４１】
投入されたジョブがインサート処理を含むジョブである場合、配列ｎｏｗＪｏｂＩｎｓＰｏｓ[]は「０」でないため、Ｓ２００３でＮＯと判定される。この場合、ＣＰＵ９０１は、配列ｐｒｅＪｏｂＩｎｓＰｏｓ[]が「０」であるかを判定する（Ｓ２００６）。Ｓ２００６でＹＥＳと判定された場合、ＣＰＵ９０１は、比較対象の前回のジョブがないと判定する。この場合、フローはＳ２０１０に移行する。配列ｐｒｅＪｏｂＩｎｓＰｏｓ[]が「０」でない場合、ＣＰＵ９０１は、比較対象の前回のジョブがあると判定する。この場合、Ｓ２００６でＮＯと判定される。Ｓ２００６でＮＯと判定されると、ＣＰＵ９０１は、前回のジョブと今回のジョブとの間で挿入紙検知センサ３２１の検知結果に変化がなく、且つ配列ｎｏｗＪｏｂＩｎｓＰｏｓ[]と配列ｐｒｅＪｏｂＩｎｓＰｏｓ[]とが異なるかを判定する（Ｓ２００７）。
【００４２】
検知結果に変化がない場合、給紙トレイ３２０の合紙の束が交換されていないと判定することができる。また、配列ｎｏｗＪｏｂＩｎｓＰｏｓ[]と配列ｐｒｅＪｏｂＩｎｓＰｏｓ[]とが異なる場合、合紙の束が交換されていないにもかかわらず、前回のジョブと今回のジョブとで合紙を挿入する位置が異なる。従って、今回のジョブで出力される成果物に含まれる合紙の挿入位置が、ユーザが意図した挿入位置と異なっている可能性が高く、出力された成果物はユーザが意図しない成果物である可能性が高い。この場合、ＣＰＵ９０１は、表示部６２０に警告画面を表示させることで、警告を出力する（Ｓ２００８）。図１０（Ｂ）は、第２のジョブ実行判定処理における警告画面の一例である。
【００４３】
ＣＰＵ９０１は、ジョブの実行を継続するかを判定する（Ｓ２００９）。ＣＰＵ９０１は、図１０（Ｂ）の警告画面で、「ジョブ継続」のソフトキーが押下されると、Ｓ２００９でＹＥＳと判定し、「ジョブ中止」のソフトキーが押下されると、Ｓ２００９でＮＯと判定する。Ｓ２００９でＮＯと判定された場合、フローはＳ２００１に移行する。Ｓ２００９でＹＥＳと判定された場合、ＣＰＵ９０１は、配列ｐｒｅＪｏｂＩｎｓＰｏｓ[]の値を、配列ｎｏｗＪｏｂＩｎｓＰｏｓ[]の値に書き換える（Ｓ２０１０）。そして、Ｓ２００４において、画像形成動作およびインサート動作が行われる。
【００４４】
ここで、Ｓ２００７でＮＯと判定された場合、Ｓ２００８およびＳ２００９の処理が行われることなく、フローは、Ｓ２０１０に移行する。つまり、検知結果に変化がある場合、または配列ｐｒｅＪｏｂＩｎｓＮｕｍ[]と配列ｎｏｗＪｏｂＩｎｓＮｕｍ[]とが同じである場合、警告は出力されない。検知結果に変化がある場合、合紙の束は交換された可能性があるため、意図した成果物が得られる可能性が高い。また、配列ｐｒｅＪｏｂＩｎｓＮｕｍ[]と配列ｎｏｗＪｏｂＩｎｓＮｕｍ[]とが同じである場合、意図した成果物が得られる可能性が高い。このため、Ｓ２００７でＮＯと判定された場合、Ｓ２００８およびＳ２００９の処理が行われることなく、フローはＳ２０１０に移行する。
【００４５】
第２のジョブ実行判定処理において、ＣＰＵ９０１は、合紙の挿入枚数および合紙の挿入位置に基づいて、ジョブを実行するか否かを制御する。例えば、ＣＰＵ９０１は、第１のジョブ実行判定処理を行った後に、第２のジョブ実行判定処理を行ってもよい。これにより、合紙の挿入枚数と合紙の挿入位置と挿入紙検知センサ３２１の検知結果とに基づいて、ジョブを実行するか否かを制御することができる。つまり、前回のジョブと今回のジョブとで合紙の挿入枚数が同じであったとしても、合紙の挿入位置が異なる可能性を考慮して、ジョブを実行するか否かを制御することができる。
【００４６】
以上において、合紙の挿入枚数を示す変数および合紙の挿入位置を示す配列は、ＲＡＭ９０３に記憶されるものとして説明したが、変数および配列は、不揮発性のメモリ（例えば、ＲＯＭ９０２）に記憶されてもよい。この場合、画像形成システム１０の電源がＯＦＦにされても、不揮発性メモリに記憶された変数および配列の情報は消去されない。そして、ＣＰＵ９０１は、Ｓ１０００およびＳ２０００において、初期化を行わず、画像形成システム１０の電源がＯＦＦにされる前とＯＮにされた後との変数または配列の情報を比較してもよい。また、画像形成システム１０に対して、切り替え可能な特定のモードが設定されている場合、ＣＰＵ９０１は、Ｓ１００７およびＳ２００７において、警告を出力しないように制御してもよい。この場合、ＣＰＵ９０１は、特定のモードが設定されているか否かに応じて、警告を出力するか否かを制御する。
【００４７】
以上、本発明の好ましい実施の形態について説明したが、本発明は上述した各実施の形態に限定されず、その要旨の範囲内で種々の変形及び変更が可能である。本発明は、上述の各実施の形態の１以上の機能を実現するプログラムを、ネットワークや記憶媒体を介してシステムや装置に供給し、そのシステム又は装置のコンピュータの１つ以上のプロセッサーがプログラムを読み出して実行する処理でも実現可能である。また、本発明は、１以上の機能を実現する回路（例えば、ＡＳＩＣ）によっても実現可能である。
【符号の説明】
【００４８】
１０  画像形成システム
２０  画像形成装置
３０  インサート装置
４０  操作表示装置
２５０  画像形成部
３２０  給紙トレイ
３２１  挿入紙検知センサ
６２０  表示部
９０１  ＣＰＵ
【図１】
2020091447.tif 000003
【図２】
2020091447.tif 000004
【図３】
2020091447.tif 000005
【図４】
2020091447.tif 000006
【図５】
2020091447.tif 000007
【図６】
2020091447.tif 000008
【図７】
2020091447.tif 000009
【図８】
2020091447.tif 000010
【図９】
2020091447.tif 000011
【図１０】
2020091447.tif 000012